(57)【要約】      （修正有）【課題】本考案は、吸引除去することなく、塵埃を除去し、回転ブラシにより塵埃を跳ね上げてトレーに入れるようにする掃除機を提供する。【解決手段】本考案は、平面視三角状の基板の周縁の三辺に沿って、ブラシを植設した３つのブラシ軸を夫々回転自在に架設すると共に、その内側へ塵受け用のトレーを設置し、前記ブラシ軸にカバーを被冠して、前記基板に柄杆の下端部を回転可能に連結し、前記ブラシ軸にモータを連結したことを特徴とする掃除機。【選択図】図１
0003124015.tif 000002
【実用新案登録請求の範囲】
【請求項１】
平面視三角状の基板の周縁の三辺に沿って、ブラシを植設した３つのブラシ軸を夫々回転自在に架設すると共に、その内側へ塵受け用のトレーを設置し、前記ブラシ軸にカバーを被冠して、前記基板に柄杆の下端部を回転可能に連結し、前記ブラシ軸にモータを連結したことを特徴とする掃除機。
【請求項２】
平面視三角状の基板の周縁の三辺に沿って、ブラシを植設した３つのブラシ軸を夫々回転自在に架設すると共に、その内側へ塵受け用のトレーを設置し、前記ブラシ軸にカバーを被冠して、前記基板に柄杆の下端部を回転可能に連結し、前記ブラシ軸にモータを連結し、前記基板又はカバーの角隅部へ弾性当片を突出して固定したことを特徴とする掃除機。
【請求項３】
平面視三角状の基板の周縁の三辺に沿って、ブラシを植設した３つのブラシ軸を夫々回転自在に架設すると共に、その内側へ塵受け用のトレーを設置し、前記ブラシ軸にカバーを被冠して、前記基板に柄杆の下端部を回転可能に連結し、前記柄杆は継杆であって、その１つにコントロールボックスを付設し、前記ブラシ軸にモータを連結し、前記基板又はカバーの角隅部へ弾性当片を突出して固定したことを特徴とする掃除機。
【請求項４】
平面視三角状の基板の周縁の三辺に沿って、ブラシを植設した３つのブラシ軸を夫々回転自在に架設すると共に、その内側へ塵受け用のトレーを設置し、前記ブラシ軸にカバーを被冠して、前記基板に柄杆の下端部を回転可能に連結し、前記柄杆は継杆であって、その１つにコントロールボックスを付設し、前記ブラシ軸の１つにモータを連結し、３つのブラシ軸を連動させ、前記基板又はカバーの角隅部へ弾性当片を突出して固定したことを特徴とする掃除機。
【考案の詳細な説明】
【技術分野】
【０００１】
この考案は、回転ブラシにより塵埃を跳ね上げてトレーに入れるようにすることを目的とした掃除機に関する。
【背景技術】
【０００２】
従来知られている掃除機は、柄杆の先端部に吸引口を取付けて、塵埃と空気とを吸引し、フィルターなどで塵埃を捕捉して空気のみを排気する方式が大部分である。
【０００３】
従来箒は、塵埃を掃き集めて、塵取りで取ることは昔から採用されている掃除の一形態である。
【特許文献１】実公平３−１９３３４
【特許文献２】特開平２−３１７２１
【考案の開示】
【考案が解決しようとする課題】
【０００４】
前記従来の箒による清掃は、塵埃の移動に際し、箒で掃く塵埃がそのまま室内空間に跳ね飛ぶので、部屋の空気全体を汚す問題点があった。
【０００５】
また一般に行なわれている吸引方式の掃除機は、大容量になると、室内空気を必要以上に撹乱するおそれがあり、小容量のものは、吸引力が弱くて目的を達成することができないおそれもあった。また微小埃まで吸い込む反面、フィルターの性能が不十分の場合には、極小粒子を撒き散らすおそれもあった。
【０００６】
然して比較的小粒であって、微小までに到らない塵埃（例えば、居室の紙片、又は被服に付着して入った小片など）のみの清掃は専ら箒に依存していた。
【課題を解決するための手段】
【０００７】
この考案は、前記箒に代えて、大小粒（微粒でない）の清掃に吸引方式でない掃除機を提供して前記従来の問題点を解決したのである。
【０００８】
即ちこの考案は、平面視三角状の基板の周縁の三辺に沿って、ブラシを植設した３つのブラシ軸を夫々回転自在に架設すると共に、その内側へ塵受け用のトレーを設置し、前記ブラシ軸にカバーを被冠して、前記基板に柄杆の下端部を回転可能に連結し、前記ブラシ軸にモータを連結したことを特徴とする掃除機であり、平面視三角状の基板の周縁の三辺に沿って、ブラシを植設した３つのブラシ軸を夫々回転自在に架設すると共に、その内側へ塵受け用のトレーを設置し、前記ブラシ軸にカバーを被冠して、前記基板に柄杆の下端部を回転可能に連結し、前記ブラシ軸にモータを連結し、前記基板又はカバーの角隅部へ弾性当片を突出して固定したことを特徴とする掃除機である。また、平面視三角状の基板の周縁の三辺に沿って、ブラシを植設した３つのブラシ軸を夫々回転自在に架設すると共に、その内側へ塵受け用のトレーを設置し、前記ブラシ軸にカバーを被冠して、前記基板に柄杆の下端部を回転可能に連結し、前記柄杆は継杆であって、その１つにコントロールボックスを付設し、前記ブラシ軸にモータを連結し、前記基板又はカバーの角隅部へ弾性当片を突出して固定したことを特徴とする掃除機であり、平面視三角状の基板の周縁の三辺に沿って、ブラシを植設した３つのブラシ軸を夫々回転自在に架設すると共に、その内側へ塵受け用のトレーを設置し、前記ブラシ軸にカバーを被冠して、前記基板に柄杆の下端部を回転可能に連結し、前記柄杆は継杆であって、その１つにコントロールボックスを付設し、前記ブラシ軸の１つにモータを連結し、３つのブラシ軸を連動させ、前記基板又はカバーの角隅部へ弾性当片を突出して固定したことを特徴とする掃除機である。
【０００９】
前記考案によれば、塵埃の移動は専ら回転ブラシ（ブラシ軸の回転）による為に、その動力はきわめて小さく、しかも塵埃の位置移動でよいので、小動力でも効率は抜群である。例えば床上から、トレーの縁上まで跳ね上げればよいことになるので、比較的小さい動力で十分の効果を期待できる。
【００１０】
前記考案によれば、平面視三角形（好ましくは正三角形）であるから、直線部の清掃は、ブラシ軸を平行にして十分の清掃効果を揚げることができる。また隅部は、前記三角形の頂部を挿し入れ、ブラシ軸の先端ブラシにより清掃できる。例えば部屋の隅部は通常９０度の開き角があるが、この考案のブラシ軸は６０度の開き角で取付けられているので、自由に入り込むことができる。
【００１１】
また前記角隅部には弾性当片が突出して固定しているので、基板又はカバーが部屋の隅部へ衝突するおそれを未然に防止し、緩衝することができる。
【考案の効果】
【００１２】
この考案によれば、部屋の空気中に塵埃を撒き散らすおそれがなく、吸引しないので排気もなく、大小の塵を効率よく拾い集めることができる効果がある。
【００１３】
また部屋の隅部の清掃が容易であり、隅部の清掃に際し、基板又はカバーの衝突を未然に防止し得る効果がある。
【００１４】
次に柄杆は継杆であって、収納に便利であり、柄杆にコントロールボックスが付属しているので、操作が容易であるなどの諸効果もある。
【考案を実施するための最良の形態】
【００１５】
この考案は、平面視正三角形の基板の三辺に沿って３つのブラシ軸を夫々回転自在に架設すると共に、各ブラシ軸の端部に伝導装置を設置して連動させると共に、少なくとも１つのブラシ軸にモータを連結し、前記３つのブラシ軸の内側へトレーを設置し、前記基板及びブラシ軸をカバーを被冠すると共に、カバーの上部中央へ、柄杆の下端を回転自在に連結する。前記柄杆は複数の継杆よりなり、その一本にコントロールボックスを取付けて、ブラシ軸の回転数のコントロール、スイッチＯＮ、ＯＦＦを行なう。
【００１６】
前記ブラシ軸の１つにモータを直結すると共に、蓄電池を介装したモータ回路をコントロールボックス内へ収容し、モータと電気的に接続する。
【００１７】
前記電池は、充電方式の電池であって、家庭用電源から自由に充電することができる。
【実施例１】
【００１８】
この考案の実施例を図１、２に基づいて説明すると、平面視で正三角形の基板１の三辺に沿って軸にブラシ２を植設したブラシ軸３ａ、３ｂ、３ｃを軸受け４ａ、４ｂ、４ｃにより回転自在に架設する。
【００１９】
前記ブラシ軸３ａの中央部には、モータ５を連結し、ブラシ軸３ａ、３ｂ、３ｃはその隣接端部において、ギヤー６、６ａで連結してある。前記ブラシ軸３ａ、３ｂ、３ｃの内側には、三角形状のトレー７が収容されており、前記トレー７の三辺壁は、前記各ブラシ軸３ａ、３ｂ、３ｃと平行であって、かつ内傾斜（中心方向へほぼ５０度傾斜）にしてあって、集塵部１２を構成する。
【００２０】
前記基板１の上部には、外形が相似形で中央部が孔８ａとなっている透明カバー８が被冠され、透明カバー８の上部中央に柄杆９の取付け部１０が設けてあり、前記基板１の３つの隅部には、その突出部を保護する為の弾性当片１１ａ、１１ｂ、１１ｃを固定してある。前記柄杆９の取付けは、軸受け片２０へ球体２１を軸２８で支持し、前記柄杆９を、前記球体２１へ軸２２により回転自在に取付けてある。
【００２１】
前記ブラシ軸３ａ、３ｂ、３ｃには、夫々ブラシ２、２を放射状に植設してあり、回転により紙片を跳ね飛ばすことができる。また、隅部はブラシ軸端のブラシ２ａで清掃することができる。また、前記柄杆９の中央部にコントロールボックス１３を設置して、この考案の掃除機１５を構成した。
【００２２】
前記トレー７には弾性の取付突片２３、２３が突設されており、前記基板１の取付孔２４より突出できるようにしてある。そこで、取付突片２３を矢示２５の方向へ変形し、掛止をといて外すことができる。
【００２３】
前記透明カバー８には凹入部２６、２６が設けてあり、この凹入部に基板１の掛止片２７、２７が掛止して、カバーを取付けるようになっている。
【００２４】
前記実施例について、その動作を説明すると、スイッチ１４を入れてブラシ軸３ａ、３ｂ、３ｃを回転させつつ床１６上を摺動すると、床１６上の紙片（塵）１７がブラシ２によって矢示１８の方向へ飛ばされ、矢示１９のようにトレー７に入るので、紙片１７はトレー７内に溜ることになる。図中２９は半球状滑片、３０は塵の様子をみる透明部、３１は挿入片、３２はカバーの挿入孔である。
【００２５】
前記柄杆９は基杆９ａ、継杆９ｂ、９ｃ、９ｄ、ハンドル９ｅよりなり、継杆９ｂにコントロールボックス１３が取付けてある。前記コントロールボックス１３には、電池、回路、スイッチなど操作に必要な総てを具備している。
【図面の簡単な説明】
【００２６】
【図１】この考案の実施例の斜視図。
【図２】（ａ）同じく集塵部の一部を省略した拡大平面図、（ｂ）同じく塵埃をトレーに入れる状態を示す一部拡大図。
【図３】（ａ）同じく柄杆の取付け状態を示す拡大斜視図、（ｂ）同じくトレーの拡大斜視図。
【図４】（ａ）同じくカバーの拡大斜視図、（ｂ）同じく弾性当片の取付け状態を示す一部拡大斜視図。
【符号の説明】
【００２７】
１  基板
２  ブラシ
３ａ、３ｂ、３ｃ  ブラシ軸
４ａ、４ｂ、４ｃ  軸受け
５  モータ
６  伝導装置
７  トレー
８  透明カバー
９  柄杆
１０  取付け部
１１ａ、１１ｂ、１１ｃ  弾性当片
１２  集塵部
１３  コントロールボックス
１４  スイッチ
１５  掃除機
１６  床
１７  紙片
【図１】
0003124015.tif 000003
【図２】
0003124015.tif 000004
【図３】
0003124015.tif 000005
【図４】
0003124015.tif 000006